(57)【要約】    【課題】リベット上方に空間を設けて、リベットによる突き上げ力がこの空間内での上昇に費やされて中敷きに伝わらないようにする。    【解決手段】シューズ上部本体部分と、リベット（４）により固定されたスパイク（２）を有するソール（３）からなるスパイクシューズである。前記ソール（３）は、少なくとも底板（５）と、この底板の上に位置する中敷き（８）からなる。前記底板（５）には前記リベットの端面（４２）とほぼ同じ位置にほぼ同じ大きさの貫通孔（６１）が設けられていて、前記リベット端面（４２）と前記中敷き（８）の間に空間（９）が形成されている。【選択図】図１
2008301983.tif 000002
【特許請求の範囲】
【請求項１】
シューズ上部本体部分と、リベット（４）により固定されたスパイク（２）を有するソール（３）からなるスパイクシューズ（１）であって、
前記ソール（３）は、少なくとも底板（５）と、この底板の上に位置する中底（６）と、この中底の上に位置する中敷き（８）からなり、
前記中底（６）には前記リベットの端面（４２）とほぼ同じ位置にほぼ同じ大きさの貫通孔（６１）が設けられていて、
前記リベット端面（４２）と前記中敷き（８）の間に空間（９）が形成されていることを特徴とするスパイクシューズ（１）。
【請求項２】
前記リベット端面（４２）が、ボタン状のリベット固定具であり、前記貫通孔（７１）が中空円柱である請求項１記載のスポーツシューズ。
【請求項３】
シューズ上部本体部分と、リベット（４Ａ）により固定されたスパイク（２Ａ）を有するソール（３Ａ）からなるスパイクシューズ（１Ａ）であって、
前記ソール（３Ａ）は、少なくとも底板（５Ａ）と、この底板の上に位置する中底（６Ａ）と、この中底の上に位置する補償部材（７）と、この補償部材（７）の上に位置する中敷き（８Ａ）からなり、
前記中底（６Ａ）及び補償部材（７）には前記リベットの端面（４２Ａ）とほぼ同じ位置にほぼ同じ大きさの貫通孔（６１Ａ，７１）が設けられていて、
前記リベット端面（４２Ａ）と前記中敷き（８Ａ）の間に空間（９Ａ）が形成されていることを特徴とするスパイクシューズ（１Ａ）。
【請求項４】
シューズ上部本体部分と、リベット（４Ｂ）により固定されたスパイク（２Ｂ）を有するソール（３Ｂ）の上に載置して使用する中敷き（８Ｂ）であって、
前記ソール（３Ｂ）は、少なくとも底板（５Ｂ）と、この底板の上に位置する中底（６Ｂ）からなり、
前記中敷き（８Ｂ）には前記リベット端面（４２Ｂ）とほぼ同じ位置にほぼ同じ大きさの窪み（１０）が設けられていて、
前記リベット端面（４２Ｂ）と前記中敷き（８Ｂ）の間に空間（９Ｂ）が形成されていることを特徴とする中敷き（８Ｂ）。
【請求項５】
シューズ上部本体部分と、リベット（４Ｃ）により固定されたスパイク（２Ｃ）を有するソール（３Ｃ）からなるスパイクシューズ（１Ｃ）であって、
前記ソール（３Ｃ）は、少なくとも底板（５Ｃ）と、この底板の上に位置する中底（６Ｃ）と、この中底の上に位置する補償部材（７Ｃ）と、この補償部材（７Ｃ）の上に位置する中敷き（８Ｃ）からなり、
前記中底（６Ｃ）及び補償部材（７Ｃ）には前記リベットの端面（４２Ｃ）とほぼ同じ位置にほぼ同じ大きさの貫通孔（６１Ｃ，７１Ｃ）が設けられていて、
前記中敷き（８Ｃ）には前記リベット端面（４２Ｃ）とほぼ同じ位置にほぼ同じ大きさの窪み（１０Ｃ）が設けられていて、
前記リベット端面（４２Ｃ）と前記中敷き（８Ｃ）の間に空間が形成されていることを特徴とするスパイクシューズ（１Ｃ）。
【発明の詳細な説明】
【技術分野】
【０００１】
本発明は、野球やサッカー、ゴルフ等のスポーツシューズ、及び、釣り用や雪道用のブーツ等、スパイクを設けたシューズに関する。また、その中の部品としての中敷きに関する。
【背景技術】
【０００２】
これらのシューズには、ゴムや合成樹脂からなるソールに、これより堅い金属やセラミック等の材料からなるスパイクが取り付けられている。このスパイクが地面に食い込んで滑り止めとなり、使用者の足元を守っている。
【０００３】
しかし、下記特許文献により指摘されているように、固い地面や岩場などでは、スパイクが地面に食い込まず、逆にスパイクによる突き上げがあり、足の裏の触球などの敏感な部分に違和感や痛みを与えていた。そのため、必ずしも履き心地がよいものではなかった。
【０００４】
その問題を解決するために、下記特許文献１では、スパイクを固定するリベットの上方にエアークッション部を設けている。下記特許文献２では、スパイクを固定するリベットの上方にバネを設けている。下記特許文献３では、スパイクを固定するリベットの上方に衝撃吸収材を設けている。
【特許文献１】特開２００２−３４５５０４
【特許文献２】特開平１０−１０５
【特許文献３】実公平６−１０８１４
【発明の開示】
【発明が解決しようとする課題】
【０００５】
従来技術は、上記したように、スパイクを固定するリベットの上方に衝撃吸収材を設けている。しかし、エアークッション部やバネをリベットの上方に取り付けるのは非常に手間と費用がかかり、それが製造コストに跳ね返っていた。また、そのような衝撃吸収具があってもスポーツシューズなどではやはり突き上げの力は足の裏に到達しているのが実情である。
【０００６】
本発明は、リベット上方に空間を設けて、リベットによる突き上げ力がこの空間内での上昇に費やされて中敷きに伝わらないようにすることにより、この問題を解決することを目的とする。
【課題を解決するための手段】
【０００７】
本発明請求項１のスパイクシューズは、シューズ上部本体部分と、リベットにより固定されたスパイクを有するソールからなり、前記ソールは、少なくとも底板と、この底板の上に位置する中底と、この中底の上に位置する中敷きからなり、前記中底には前記リベット端面とほぼ同じ位置にほぼ同じ大きさの貫通孔が設けられていて、リベット端面と中敷きの間に空間が形成されていることを特徴とする。
【０００８】
本発明請求項３のスパイクシューズは、シューズ上部本体部分と、リベットにより固定されたスパイクを有するソールからなるスパイクシューズであって、前記ソールは、少なくとも底板と、この底板の上に位置する中底と、この中底の上に位置する補償部材と、この補償部材の上に位置する中敷きからなり、前記中底及び補償部材には前記リベットの端面とほぼ同じ位置にほぼ同じ大きさの貫通孔が設けられていて、前記リベット端面と前記中敷きの間に空間が形成されていることを特徴とする。
【０００９】
本発明請求項４の中敷きは、シューズ上部本体部分と、リベットにより固定されたスパイクを有するソールの上に載置して使用する中敷きであって、前記ソールは、少なくとも底板と、この底板の上に位置する中底からなり、前記中敷きには前記リベットの端面とほぼ同じ位置にほぼ同じ大きさの窪みが設けられていて、前記リベット端面と前記中敷きの間に空間が形成されていることを特徴とする。
【００１０】
本発明請求項５は、スパイクシューズシューズ上部本体部分と、リベットにより固定されたスパイクを有するソールからなるスパイクシューズであって、前記ソールは、少なくとも底板と、この底板の上に位置する中底と、この中底の上に位置する補償部材と、この補償部材の上に位置する中敷きからなり、前記中底及び補償部材には前記リベットの端面とほぼ同じ位置にほぼ同じ大きさの貫通孔が設けられていて、前記中敷きには前記リベット端面とほぼ同じ位置にほぼ同じ大きさの窪みが設けられていて、前記リベット端面と前記中敷きの間に空間が形成されていることを特徴とする。
【発明の効果】
【００１１】
本発明によれば、スパイクによる突き上げがあって、リベットが持ち上げられても、その上昇力は前記空間内での上昇に費やされて、中敷きにまで衝撃力が伝わらない。その結果、スパイクによる突き上げによる不快感は解消した。
【００１２】
しかもそのためには、中底及び／又は緩衝部材に単に貫通孔を開けるか、中敷きに窪みを設けるだけでよく、従来技術のような複雑な加工は必要ではないので、非常に安価に製造が可能である。
【発明を実施するための最良の形態】
【００１３】
本発明によるソールの各要素はそれぞれ１層以上からなっていてもよい。さらに、各要素の間に別の部品が介在しても、本発明による前記作用効果が妨げられなければ本発明に含まれる。
【００１４】
リベットには、打ち付け式のもの、ネジ式のもの、ネジとスパイクが一体に形成されたものがあり、いずれも本発明で使用可能である。シューズの中底に露出するのはリベットの端面であり、ボタン状の固定具であることが多い（請求項２）。
【実施例１】
【００１５】
以下、添付の図面に基づき、本発明の実施例を説明する。
【００１６】
図１は、本発明の補償部材を取り付けたスパイクシューズ１の側面図であり、一部を破断して内部を示している。図２は、ソールとスパイクを示す斜視図である。
【００１７】
この実施例のスパイク２は、プレート状のものが３個所取り付けられている。スパイクの上端板２１はソール３下部へリベット４で固定され、スパイクの歯先はソールから下方へ突出している。リベット４は、頭部４１がスパイク上端板２１を押さえ、端面４２はボタン状のリベット固定具で固定されている。１枚のプレート状スパイクは３個のリベットでソール３に固定されている。
【００１８】
ソール３は、図２に示すように、底板５と、その底板５の上に位置する中底６と、その中底の上に位置する中敷き８（図１）からなる。底板５と中底６の間は接着剤でしっかりと固定される。中底６と中敷き８の間は接着剤でしっかりと固定してもよいし、中敷き８を中底６の上に載置するだけでもよい。
【００１９】
底板５及び中底６は、１層以上のゴムや合成樹脂板からなる。前記リベット４の端面４２は、底板５とほぼ同じ高さで、中底６の下の位置にある。中底６には、リベット固定具４２と同じ位置に同じ大きさの貫通孔６１が切り抜きされている。この例では、貫通孔は中空円柱状である。その結果、図１に示すように、リベット固定具４２と中敷き８の間には空間９が形成されている。
【００２０】
したがって、スパイク２による突き上げがあって、リベット端面４２が持ち上げられても、その上昇力はこの空間９内での上昇に費やされ、中敷き８にまで衝撃力が伝わらない。
【実施例２】
【００２１】
図３は、本発明の補償部材７を取り付けたスパイクシューズ１Ａの側面図であり、一部を破断して内部を示している。図４は、ソールとスパイクを示す斜視図である。実施例１と同じ機能を有する部品には実施例１の符号に「Ａ」を付けて、その説明を省略する場合がある。
【００２２】
この実施例のスパイク２Ａのソール３Ａは、図３に示すように、底板５Ａと、その底板５Ａの上に位置する中底６Ａと、その中底の上に位置する中敷き８Ａからなる。さらにこの実施例では、中底６Ａと中敷８Ａの間に補償部材７が形成されている。底板５Ａと中底６Ａ、中底６Ａと補償部材７の間は接着剤でしっかりと固定される。補償部材７と中敷き８Ａの間は接着剤でしっかりと固定してもよいし、中敷き８Ａを補償部材７の上に載置するだけでもよい。
【００２３】
底板５Ａ及び中底６Ａは、１層以上のゴムや合成樹脂板からなる。前記リベット４Ａの端面４２Ａは、底板５Ａのやや上で、中底６Ａとほぼ同じか、やや下の位置にある。
【００２４】
補償部材７は、スポンジ等の発泡樹脂や軟質樹脂からなり、この例では図４に示すように、シューズの前方及び後方に分かれて２枚配置されている。補償部材７には、リベット固定具４２Ａと同じ位置に同じ大きさの貫通孔７１が切り抜きされている。この例では、貫通孔は中空円柱状である。その結果、図３に示すように、リベット固定具４２Ａと中敷き８Ａの間には空間９Ａが形成されている。
【００２５】
したがって、スパイク２による突き上げがあって、リベット端面４２Ａが持ち上げられても、その上昇力はこの空間９Ａ内での上昇に費やされ、中敷き８Ａにまで衝撃力が伝わらない。
【実施例３】
【００２６】
図５、図６は実施例３であり、実施例２と同じ機能の部品には実施例２の符号の後に「Ｂ」をつけ、その説明を省略する場合がある。
【００２７】
実施例３が実施例１と異なるのは、図５に示すように、独立した形で補償部材がなく、中敷き８Ｂの下面に窪み１０が形成され、これが中底６Ｂの貫通孔６１Ｂと共に空間９Ｂの役割を果たすことである。この例では、窪み１０は中空円柱状である。中敷き８Ｂは、中底６Ｂの上に置かれて使用される。中敷き８Ｂと底板５Ｂを接着剤でしっかりと固定してもよい。
【００２８】
実施例２の断面を図５に示す。リベット固定具４２Ｂが持ち上げられても、その上昇力が空間９Ｂ内での上昇に費やされるので、中敷き８Ｂ表面にまで衝撃力が伝わらない。
【実施例４】
【００２９】
図７は実施例４であり、実施例２と同じ機能の部品には実施例２の符号の後に「Ｃ」をつけ、その説明を省略する場合がある。
【００３０】
この実施例のスパイク２Ｃのソール３Ｃは、底板５Ｃと、その底板５Ｃの上に位置する中底６Ｃと、その中底の上に位置する中敷き８Ｃからなる。さらにこの実施例では、中底６Ｃと中敷８Ｃの間に補償部材７Ｃを設ける。底板５Ｃと中底６Ｃ、中底６Ｃと補償部材７Ｃの間は接着剤でしっかりと固定される。中敷き８Ｃを補償部材７の上に載置される。中敷き８Ｃと補償部材７Ｃを接着剤でしっかりと固定してもよい。
【００３１】
前記中底６Ｃ及び補償部材７Ｃには前記リベットの端面４２Ｃとほぼ同じ位置にほぼ同じ大きさの貫通孔６１Ｃ，７１Ｃが設けられている。また、前記中敷き８Ｃには前記リベット端面４２Ｃとほぼ同じ位置にほぼ同じ大きさの窪み１０Ｃが設けられている。貫通孔６１Ｃ，７１Ｃ及び窪み１０Ｃが空間を形成する。
【００３２】
これにより、リベット固定具４２Ｃが持ち上げられても、その上昇力がリベット端面上方の空間内での上昇に費やされるので、中敷き表面８Ｃにまで衝撃力が伝わらない。
【図面の簡単な説明】
【００３３】
【図１】実施例１の補償部材を取り付けたスパイクシューズの側面図であり、一部を破断して内部を示している。
【図２】実施例１のソールとスパイクを示す斜視図である。
【図３】実施例２の中敷きを取り付けたスパイクシューズの側面図であり、一部を破断して内部を示している。
【図４】実施例２のソールとスパイクを示す斜視図である。
【図５】実施例３の中敷きを取り付けたスパイクシューズの側面図であり、一部を破断して内部を示している。
【図６】実施例３のソールとスパイクを示す斜視図である。
【図７】実施例４のソールとスパイクを示す斜視図である。
【符号の説明】
【００３４】
１，１Ａ，１Ｂ，１Ｃ スパイクシューズ
２，２Ａ，２Ｂ，２Ｃ スパイク
３，３Ａ，３Ｂ，３Ｃ ソール
４，４Ａ，４Ｂ       リベット
４２，４２Ａ，４２Ｂ，４２Ｃ       リベット端面（固定具）
５，５Ａ，５Ｂ，５Ｃ 底板
６，６Ａ，６Ｂ，６Ｃ 中底
７，７Ｃ      補償部材
７１，７１Ｃ  貫通孔
８，８Ａ，８Ｂ，８Ｃ 中敷
９，９Ｂ，９Ｃ       空間
１０，１０Ｃ  くぼみ
【図１】
2008301983.tif 000003
【図２】
2008301983.tif 000004
【図３】
2008301983.tif 000005
【図４】
2008301983.tif 000006
【図５】
2008301983.tif 000007
【図６】
2008301983.tif 000008
【図７】
2008301983.tif 000009